(57)【要約】【課題】パチンコ機等の遊技機に、キセノンランプの閃光を利用をするに当たり、小型化と、複数の閃光発生と、高速繰り返し閃光を可能とする。【解決手段】閃光発生器を電源部と閃光発生部に分離し、閃光発生部を小型化すると共に、１個の電源部に対して、複数の閃光発生部を設け、電源部には大きな静電容量値の充電用コンデンサーを、各閃光発生部には、静電容量値が小さい放電用コンデンサーを設け、電源部と閃光発生部間を抵抗で結び、キセノンランプがアーク放電した時に、電源部からの電流値が放電維持電流値以下と成るような値とし、又、キセノンランプが閃光し、放電用コンデンサーが空に成った後、充電される時間、即ち、上記抵抗の値と放電用コンデンサーの積で決まる時間が、必要な繰り返し閃光時間間隔より短くなるように決められている。【選択図】図１
2012217819.tif 000002
【特許請求の範囲】
【請求項１】
１個の電源部と複数個の閃光発生部を有する閃光発生器において、
電源部には、充電用コンデンサーと前記閃光発生部に１個当てで対応した複数個の充電用抵抗を有し、
複数個の閃光発生部の各々には、放電用コンデンサーと、キセノンランプと、トリガートランスと、トリガーコンデンサーと、トリガーコンデンサー充電抵抗と、トリガー駆動半導体を含み、電源部から充電用抵抗を介してキセノンランプへ流れる電流値が、
キセノンランプの放電維持電流値以下に制限出来る抵抗値の充電用抵抗を有すると共に、
充電用抵抗の抵抗値と、放電用コンデンサーの静電容量値の積で決まる時間値がトリガー駆動半導体に外部から与えられるパルス信号の時間間隔値より小さく成るように定められている事を特徴とする閃光発生器。
【請求項２】
請求項１であって、
複数個の閃光発生部の、各々の放電用コンデンサーの静電容量値が
電源部の充電用コンデンサーの静電容量値の１／１０以下の値にされている事を
特徴とする閃光発生器。
【請求項３】
請求項１であって、
閃光発生部を構成する放電用コンデンサーと、キセノンランプと、トリガートランスと、トリガーコンデンサーと、トリガーコンデンサー充電抵抗と、トリガー駆動半導体が一枚のプリント基板上に取り付けられており、
上記キセノンランプの陰電極と陽電極が、上記プリント基板の端部に設けられた、細長い切り欠き部の両端にハンダ付けされると共に、
バネ性金属板製であり、上記キセノンランプの硝子管径より僅かに内径が小さい略筒状で、長手方向に沿って開口する切れ目を有したＣ型断面状のゲート電極が、そのバネ力によって上記キセノンランプの硝子管を把持して取付けられている事を特徴とする閃光発生器。
【請求項４】
請求項１であって、
閃光発生部を構成する放電用コンデンサーと、キセノンランプと、トリガートランスと、トリガーコンデンサーと、トリガーコンデンサー充電抵抗と、トリガー駆動半導体がプリント基板上に取り付けられており、
上記キセノンランプの陰電極と陽電極が、上記プリント基板の端部に設けられた、細長い切り欠き部の両端にハンダ付けされる物にあって、該プリント基板がフレキシブルプリント基板であることを特徴とする閃光発生器。
【発明の詳細な説明】
【技術分野】
【０００１】  本発明は、パチンコ機、スロット機等の遊技機やアミューズメント装置等に搭載するのに適した閃光発生器に関連する。
【背景技術】
【０００２】  パチンコ機への利用を代表として記載する。現在のパチンコ機は、多くが始動口への入賞のタイミングで大当たりか否かの抽選で遊技が進行する。大当たりの確率は低く、遊技者は大当たりまでに興趣を失いがちになる。
対策として、大当たりするかも知れない状態のリーチ状態等を液晶画面、ランプ、ＬＥＤ表示、音声で盛り上げる。【０００３】ランプ、ＬＥＤでの演出は、各社の製品競争の中で、ＬＥＤの使用個数が数百にも達し、高価で消費電力も無視出来ない状態に成っている。その競争環境の中で特開２００１−２１８８９５、特開２００４−１５９９５３、特開２００４−１８１０３８等でキセノンランプの閃光を用いる技術が公開されている。また、未公開であるが、本発明者が出願した、特願２０１１−５９８６９がある。
【先行技術文献】
【特許文献】
【０００４】
【特許文献１】特開２００１−２１８８９５
【特許文献２】特開２００４−１５９９５３
【特許文献３】特開２００４−１８１０３８
【特許文献４】特開２００１−３３８５３
【特許文献５】特願２０１１−５９８６９
【発明の概要】
【発明が解決しようとする課題】
【０００５】  特許文献１〜４に開示された公開技術にも拘わらず、キセノンランプの利用を実用にするには以下の課題を解決する必要がある。
（１）従来ＬＥＤで構成されている電飾装置にキセノンランプを用いるには、ＬＥＤが小型故に既に狭い場所しか与えられていない為、可能な限り小型化が必要。
（２）写真用の様に、一発の強い閃光ではなく、秒間５回とか、高速で連続した閃光が必要となる。
（３）１台のパチンコ機に３個、５個と複数で用いられる例に対応し、全体が安価で、小型に成る方法が必要。
（４）紫外線による目への害。電気的ノイズ。
上記（４）は特願２０１１−５９８６９で述べているので、（１）（２）（３）が、本願発明が解決しようとする課題である。
【課題を解決する為の手段】
【０００６】  請求項１の閃光発生器は、１個の電源部と複数個の閃光発生部を有する閃光発生器において、電源部には、充電用コンデンサーと前記閃光発生部に１個当てで対応した複数個の充電用抵抗を有し、複数個の閃光発生部の各々には、放電用コンデンサーと、キセノンランプと、トリガートランスと、トリガーコンデンサーと、トリガーコンデンサー充電抵抗と、トリガー駆動半導体を含み、電源部から充電用抵抗を介してキセノンランプへ流れる電流値が、キセノンランプの放電維持電流値以下に制限出来る抵抗値の充電用抵抗を有すると共に、充電用抵抗の抵抗値と、放電用コンデンサーの静電容量値の積で決まる時間値がトリガー駆動半導体に外部から与えられるパルス信号の時間間隔値より小さく成るように定められている事を特徴とする閃光発生器であるから、電源部と各閃光発生部とを分離して各閃光発生部だけをＬＥＤ電飾基板に混載できる。すなわち、課題（１）の小型化には、電源部を閃光発生部から除外した事で、従来のＬＥＤ電飾基板に混載出来る程に小型化出来た効果は大きい。
課題（２）の連続、高速閃光に関しては、電源部の充電用コンデンサーに貯えられた電荷を閃光発生部の放電用コンデンサーに移し変えるだけで、電源部のスイッチング電源の性能に依存しない事から高速化が実現し、効果が大きい。
課題（３）の複数個、例えば５個の閃光発生部を動作させるにも、１個の電源部のみで可能としたから、従来の４個分の電源部部品とそのスペースが無用となり、低価格と小型化を可能とした。
【０００７】  請求項２の閃光発生器は、１個の電源部と複数個の閃光発生部を有する閃光発生器において、電源部には、充電用コンデンサーと前記閃光発生部に１個当てで対応した複数個の充電用抵抗を有し、複数個の閃光発生部の各々には、放電用コンデンサーと、キセノンランプと、トリガートランスと、トリガーコンデンサーと、トリガーコンデンサー充電抵抗と、トリガー駆動半導体を含み、電源部から充電用抵抗を介してキセノンランプへ流れる電流値が、キセノンランプの放電維持電流値以下に制限出来る抵抗値の充電用抵抗を有すると共に、充電用抵抗の抵抗値と、放電用コンデンサーの静電容量値の積で決まる時間値がトリガー駆動半導体に外部から与えられるパルス信号の時間間隔値より小さく成るように定められている事を特徴とする閃光発生器であるとともに、複数個の閃光発生部の、各々の放電用コンデンサーの静電容量値が、電源部の充電用コンデンサーの静電容量値の１／１０以下の値にされている事を特徴とする閃光発生器であるから、複数個の閃光発生部が同時に閃光発生し、その後、充電用コンデンサーから複数の放電用コンデンサーへの充電が行われる時にも、充電時間が遅れる害を無くす効果がある。
ところで、１個の電源部と複数個の閃光発生部とで構成される閃光発生器においては、閃光発生部の個数が多くなれば放電用コンデンサーの総数が多くなる。すると、それらの放電用コンデンサーの静電容量値の合計が充電用コンデンサーの静電容量値以上になる可能性があるが、その場合には上述の充電時間が遅れる害を無くす効果を期待できなくなる。従って、各々の放電用コンデンサーの静電容量値を電源部の充電用コンデンサーの静電容量値の１／１０以下の値に制限したうえで、それらの放電用コンデンサーの静電容量値の合計が充電用コンデンサーの静電容量値を超えないようにするのが望ましい。
【０００８】  請求項３の閃光発生器は、１個の電源部と複数個の閃光発生部を有する閃光発生器において、電源部には、充電用コンデンサーと前記閃光発生部に１個当てで対応した複数個の充電用抵抗を有し、複数個の閃光発生部の各々には、放電用コンデンサーと、キセノンランプと、トリガートランスと、トリガーコンデンサーと、トリガーコンデンサー充電抵抗と、トリガー駆動半導体を含み、電源部から充電用抵抗を介してキセノンランプへ流れる電流値が、キセノンランプの放電維持電流値以下に制限出来る抵抗値の充電用抵抗を有すると共に、充電用抵抗の抵抗値と、放電用コンデンサーの静電容量値の積で決まる時間値がトリガー駆動半導体に外部から与えられるパルス信号の時間間隔値より小さく成るように定められている事を特徴とする閃光発生器であると共に、閃光発生部を構成する、放電用コンデンサーと、キセノンランプと、トリガートランスと、トリガーコンデンサーと、トリガーコンデンサー充電抵抗と、トリガー駆動半導体が一枚のプリント基板上に取り付けられており、上記キセノンランプの陰電極と陽電極が、上記プリント基板の端部に設けられた、細長い切り欠き部の両端にハンダ付けされると共に、バネ性金属板製であり、上記キセノンランプの硝子管径より僅かに内径が小さい略筒状で、長手方向に沿って開口する切れ目を有したＣ型断面状のゲート電極が、そのバネ力によって上記キセノンランプの硝子管を把持して取付けられている事を特徴とする閃光発生器であるから、課題（１）の小型化の好適な構成である。また、キセノンランプの硝子管を把持して取付けられたゲート電極の切れ目から閃光が放出されるので、ゲート電極の取付角度を変えるのみで、閃光が放出される方向を、プリント基板に対して、水平方向、垂直方向と変更できる特徴を有する。
【０００９】  請求項４の閃光発生器は、１個の電源部と複数個の閃光発生部を有する閃光発生器において、電源部には、充電用コンデンサーと前記閃光発生部に１個当てで対応した複数個の充電用抵抗を有し、複数個の閃光発生部の各々には、放電用コンデンサーと、キセノンランプと、トリガートランスと、トリガーコンデンサーと、トリガーコンデンサー充電抵抗と、トリガー駆動半導体を含み、電源部から充電用抵抗を介してキセノンランプへ流れる電流値が、キセノンランプの放電維持電流値以下に制限出来る抵抗値の充電用抵抗を有すると共に、充電用抵抗の抵抗値と、放電用コンデンサーの静電容量値の積で決まる時間値がトリガー駆動半導体に外部から与えられるパルス信号の時間間隔値より小さく成るように定められている事を特徴とする閃光発生器であるとともに、閃光発生部を構成する放電用コンデンサーと、キセノンランプと、トリガートランスと、トリガーコンデンサーと、トリガーコンデンサー充電抵抗と、トリガー駆動半導体がプリント基板上に取り付けられており、上記キセノンランプの陰電極と陽電極が、上記プリント基板の端部に設けられた、細長い切り欠き部の両端にハンダ付けされる物にあって、該プリント基板がフレキシブルプリント基板であることを特徴とする閃光発生器であるから、プリント基板の厚み分の小型化が出来るばかりか、次のような重要な品質上の特徴を持つ。すなわちキセノンランプは閃光発生時、光、熱を発生する以外に、振動で音を発する。プリント基板に直接、キセノンランプの陽電極、陰電極を半田付けで固定すると、振動が妨げられてキセノンランプの硝子管と電極部の間に応力が生ずる。この応力は、長期の使用でガス漏れの原因を生み、劣化へとつながる。しかし、請求項４のように、プリント基板の全体、又は、陽電極、陰電極が半田付けされる部分をフレキシブルプリント基板にする事で、プリント基板側が動き、キセノンランプ自体の振動を妨げない事で、ガス漏れの原因を無くする効果がある。
【００１０】
【図面の簡単な説明】
【００１１】
【図１】  本発明の閃光発生器の実施例を示す回路説明図。
【図２】  本発明の閃光発生器の実施例の動作を説明する動作説明図。
【図３】  本発明の閃光発生器の実施例を示す説明図。
【発明を実施する為の形態】
【００１２】  図１は本発明の閃光発生器の実施例を示す回路説明図であり、電源部１と閃光発生部２、閃光発生部３で構成される閃光発生器が遊技制御回路２８で動作される状態が示されている。
電源部１にはスイッチング電源４が含まれ、同スイッチング電源４は自励ＲＣＣ方式であったり、ＰＷＭ制御方式であったり、その方式は問わず入力コネクター５から与えられた電源を、３００ｖ程の直流電源として充電用コンデンサー６に貯え、充電用抵抗７，充電用抵抗８を介し、出力コネクター９，出力コネクター１０で外部に電源供給できるようにされている。
【００１３】  閃光発生部２は、電源入力コネクター１１の＋極、−極に電源部１から直流電源を受け、放電用コンデンサー１２が並列に結ばれる。また、トリガーコンデンサー充電抵抗１３とトリガーコンデンサー１４も、また、キセノンランプ１５の陽電極、陰電極、ＩＧＢＴ１６のコレクタ、エミッタの回路も図示の様に、並列に結ばれる。
前記トリガーコンデンサー充電抵抗１３とトリガーコンデンサー１４の結合点はトリガートランス１７の一次側端子に結ばれ、同トリガートランスの一次側の反対端子と二次側端子の結合点は、キセノンランプ１５とＩＧＢＴ１６の結合点に結ばれる。また、トリガートランス１７の二次側反対端子はキセノンランプ１５のゲート電極に結ばれる。
ＩＧＢＴ１６はトリガー駆動半導体に該当する。
【００１４】  閃光発生部３は、電源入力コネクター１９の＋極、−極間に電源部１から直流電源を受け、放電用コンデンサー２０が並列に結ばれる。また、キセノンランプ２１も並列に結ばれ、トリガーコンデンサー充電抵抗２２とサイリスタ２３の直列状態品も並列に結ばれる。
前記トリガーコンデンサー充電抵抗２２とサイリスタ２３の結合点はトリガーコンデンサー２５を介してトリガートランス２６の一次側端子に結ばれ、同トリガートランスの一次側の反対端子と二次側端子の結合点は、電源入力コネクター１９の−極に結ばれる。トリガートランス２６の二次側反対端子はキセノンランプ２１のゲート電極に結ばれる。また、抵抗２４がサイリスタ２３のゲートとカソード間に結ばれて、ノイズでの誤動作防止をしている。
サイリスタ２３はトリガー駆動半導体に該当する。
【００１５】  遊技制御回路２８には直流電源２９が与えられており、入力信号３０を受ける事で、遊技の進行状況に応じてドライバー３１、信号入力コネクター２７を介して、サイリスタ２３のゲートに信号を送る。また、ドライバー３２、信号入力コネクター１８を介して、ＩＧＢＴ１６のゲートに信号を送る。
なお、電源部１、閃光発生部２、３は、それぞれが別個のプリント基板上に構成されており、出力コネクター９と電源入力コネクター１１が，出力コネクター１０と電源入力コネクター１９が配線で結ばれている。
【００１６】  次ぎに、図２の本発明の閃光発生器の実施例の動作を説明する動作説明図と、図１を用いて、動作の説明をする。
電源部１の入力コネクター５には、パチンコ機で標準的に用いられるＤＣ５ｖ、１２ｖ、２４ｖのいずれかが与えられ、スイッチング電源４の動作で充電用コンデンサー６を３００ｖ程に充電する。ここで、スイッチング電源は、使い捨てカメラや、デジタルカメラに用いられる、公知の小型で安価な物でよく、充電用コンデンサーは耐電圧３５０ｖ程で静電容量１００μＦ程の物が適である。充電用抵抗７，８は後に説明するが、１０ｋΩ程の値であり、小さすぎず、大きすぎない値に決められる。
【００１７】  閃光発生部２，閃光発生部３は先願の特願２０１１−５９８６９で示した、放電用コンデンサーを積層セラミックスコンデンサーとした小型の物であり、閃光発生部２と閃光発生部３ではトリガー駆動半導体がＩＧＢＴかサイリスタの違いが有る以外、ほとんど差が無いため、３の閃光発生部で説明する。
電源入力コネクター１９から放電用コンデンサー２０は３００ｖ程に充電される。また、トリガーコンデンサー充電抵抗２２，トリガーコンデンサー２５，トリガートランス２６のループでトリガーコンデンサー２５も３００ｖ程に充電される。キセノンランプ２１は３００ｖ程の電圧が陽電極、陰電極に与えられるだけでは放電はせず、待機状態となる。
遊技制御回路２８の指示が、ドライバー３１を介してサイリスタ２３のゲートに与えられると、サイリスタ２３は導通し、トリガーコンデンサー２５に貯えられていた電荷がトリガートランス２６の一次側巻線を通して放電される。結果、トリガートランス２６の二次側に数千ボルトの高電圧を発生させ、キセノンランプ２１内のガスを電離させ、放電の種となり、一気に放電用コンデンサー２０の電荷を消化し、閃光を発する。
【００１８】  図２の上図は放電用コンデンサー２０に掛かる電圧ＶＣ２０を示し、下図はサイリスタ２３のゲートに加わる信号のタイミングを示す。
ＴＯの待機状態の時間帯は、放電用コンデンサー２０には３００ｖが加わっている。サイリスタ２３のゲートに信号が加わると、Ｔａの短い時間でＶＣ２０は放電を維持出来ない低い電圧に低下し、閃光を発する。低下の後には充電用抵抗８と放電用コンデンサー２０の積で決まる時定数ＴＲＣで電圧は上昇し、十分な時間経過の後には３００Ｖとなる。なを、Ｔａは数十μＳから数百μＳ程の短い時間であり、アーク放電が維持できない電流値、放電維持電流値に成るまで低下した時点で、放電は停止する。放電維持電流値が維持出来なくなる放電用コンデンサー２０の電圧をＶＬＩＭと記す。
【００１９】キセノンランプ２１を放電させるエネルギーは放電用コンデンサー２０だけで無いことに注意を要する。充電用コンデンサー６から充電用抵抗８を介して電流Ｉ＝（３００−ＶＣ２０）／Ｒが加算される。抵抗値Ｒの大きさに因っては充電用コンデンサーからの放電で閃光時間が長くなるばかりか、充電用抵抗８が発熱、焼損になる。例えば、１００Ωであれば、３Ａが供給出来、約３００の二乗／１００の９００ワットが短時間とはいえ、発生する。大きすぎると後述の問題が生ずるが１０ＫΩ程の充電用抵抗８が用いられる。
【００２０】次ぎに時定数ＴＲＣに付いて述べる。放電用コンデンサー２０の静電容量値は１〜５μＦ程の、小さめの値の物が遊技者の目への疲労を少なくする目的で使われる。遊技の趣向の点からは秒間５回程の高速な閃光点滅が必要となる。図２のＴＲＥＰは２００ｍＳとなり、静電容量値が１μＦであれば、前述で充電用抵抗８の値が１０ｋΩの時は、ＴＲＣ＝１０ｍＳで２００ｍＳより十分に小さいので、２００ｍＳ毎の閃光を可能とする。  今、静電容量値が５μＦで有ったとすれば、ＴＲＣ＝５０ｍＳで２００ｍＳの１／４で余裕は少ないが２００ｍＳ毎の閃光を可能とする。すなわち、外部から与えられるパルス信号の時間間隔値２００ｍＳより小さく成るように定められている事で、外部からの指示に的確に閃光を発する事が可能となる。
【００２１】  以上の説明では閃光発生部は２個で説明したが、５個でも、１０個でも増やす事は可能である。
また、従来の電源部と閃光発生部が一体に成った物に対して、分離した方が優れる点を説明する。
充電用コンデンサー６は静電容量値が１μＦで充電用抵抗８は０Ωで、放電用コンデンサー２０は無いとする。この状態が、従来の考えである。閃光させて、充電用コンデンサー６が空に成った後の充電はスイッチング電源４の充電能力性能に依存する。
一方、分離型の本方式では、放電用コンデンサー２０が閃光発生で空に成った後は、充電用コンデンサー６からの充電で行われ、スイッチング電源４の性能には依存しない。即ち、スイッチング電源をより小型、安価な物にしても、１個で複数個の閃光発生部を駆動出来、メリットが大きい。ちなみに、カメラ用で大量に生産されているスィチング電源用ＩＣは充電時間が１秒程の物が多く、秒間５回等の高速繰り返しは一体式では困難である。
但し、充電用コンデンサー６の静電容量値は閃光発生部２，３の放電用コンデンサー１２，２０の静電容量値よりも十分に大きくしておく必要がある。上述した例で１００μＦ対１μＦの１００倍比までは無用だが１０倍比程までは必要である。その理由は、複数個の閃光発生部が同時に閃光発生し、同時に充電を必要とする使い方もありうるからである。
【００２２】次ぎに、図３の本発明の閃光発生器の実施例を示す説明図で、構成の説明をする。構成の基本は先願の特願２０１１−５９８６９と似ているが、小型化を更に進めるにはキセノンランプのプリント基板への取付方法、と、ゲート電極に関連する事項に一層の改善が必要であった。
図（ａ）は収容ケースの上部を切断して、内部部品を見せた正面図であり、図（ｂ）は（ａ）のＡ−Ａ断面を示す図であり、図（ｃ）はゲート電極を９０度回転し、閃光の放出方向を変えた状態を示す図である。なお、各部品は図１の３で示された閃光発生部に対応する。
【００２３】  図（ａ）には、プリント基板３３上に電源入力コネクター１９，放電用コンデンサー２０，キセノンランプ２１，トリガーコンデンサー充電抵抗２２，サイリスタ２３，抵抗２４，トリガーコンデンサー２５，トリガートランス２６、信号入力コネクター２７が配置され閃光発生部３を構成している。プリント基板３３は収容ケース３４に納められ高電圧の危険性に対応している。
【００２４】  小型化と閃光を放出する方向を垂直、水平両方向とする為の、特別の配慮がプリント基板３３にはされている。プリント基板端部には切り欠き部３３ａがキセノンランプ２１の硝子管部の長さより僅かに長く、直径より僅かに幅広く作られており、また、陽電極、陰電極をプリント基板３３に半田付けする為の、突出部３３ｂが両側に設けられる。
キセノンランプ２１には、ゲート電極２１ｃがキセノンランプの硝子管を挟み込むように取り付けられる。ゲート電極２１ｃはバネ性金属板で作られたパイプを長手方向に切り欠き、断面がＣ型で内径が硝子管より僅かに小さい開口パイプ状部２１ｃ＿１から成り、その中間部は切り起こされ、接続部２１ｃ＿２が作られている。
【００２５】  ゲート電極２１ｃは燐青銅等のバネ性金属を鏡面状にメッキ仕上げし、硝子管をバネ力で保持出来、かつ、外力で任意の位置に回転、移動が出来る様に作られる。開口パイプ状部２１ｃ＿１が硝子管の長手方向にバネ力で密着している事は、陽電極２１ａと陰電極２１ｂ間でアーク放電が成長する上で重要である。硝子管内のキセノンガスをトリガートランスの高電圧で、電離状態にする上でゲート電極と硝子管に隙間が有ると、電離が起きにくく成るからである。
【００２６】  キセノンランプ２１にゲート電極２１ｃがはめられた状態で、接続部２１ｃ＿２には接続線３５が半田付けされ、プリント基板３３の切り欠き３３ａに納められ、接続線３５の他端はトリガートランス２６の二次側端子に半田付けされる。また、陽電極２１ａ、陰電極２１ｂはプリント基板突出部３３ｂに半田付けされる。
図（ｂ）、図（ｃ）で示す様に、ゲート電極２１ｃの開口方向をプリント基板３３と水平方向にするか、垂直方向にするかで、同一の部品を使いながら、閃光の放出方向を広く変化出来る。
【００２７】  次ぎに、小型化での問題点、トリガートランスの二次側高電圧と部品配置禁止領域に付いて述べる。図（ａ）のハッチングで示した３３ｃの領域はトリガートランスの二次側高電圧の影響で誤動作、部品破壊を避ける為の、部品配置禁止領域である。二次側高電圧は５，０００Ｖ程であり、１０００Ｖに付き１ｍｍの隙間が業界常識で、ゲート電極端部から、又、トリガートランス二次側端子部から５ｍｍを離した領域が３３ｃであり、小型化を実現する本例で多くの割合の領域が使用禁止で占められる事が判る。
キセノンランプ２１がプリント基板の端部の切り欠き部に配置された事は部品配置禁止領域３３ｃの割合を減らし、小型化に効果がある。先願の特願２０１１−５９８６９の実施例で示した、基板内に長穴を設ける方式では、ゲート電極が長穴の両側に部品配置禁止領域を作る為、その比率が大きく、小型化の度合いが低くなる。
【００２８】  次にプリント基板３３を収容ケース３４に納める事に関して述べる。
収容ケース３４は全面３４ａと下面３４ｂと両側面３４ｃ，３４ｃと上面３４ｄで囲まれたケースで、上面３４ｄは電源入力コネクター１９，信号入力コネクター２７の部分を切り欠いた５面が閉じたケースである。下面３４ｂからは円柱状ボス３４ｅが設けられ、止めネジ３６で基板を固定する。円柱状ボス３４ｅと同一高さのストッパー３４ｆがプリント基板の突出部３３ｂに対応する位置に設けられ、基板が水平に固定される。
【００２９】以上の実施例では、説明を判り易くするため、プリント基板の片面に部品を配置したが、両面に配置すれば、更に小型化が可能であるし、特に、放電用コンデンサー２０を複数個、例えば３個、配置出来る様にし、１個の物、２個の物、３個の物で閃光の強さを変えられる様にする事は実用上、大きな効果を生む。なお、放電用コンデンサー２０を複数個にする場合には、それら複数個の放電用コンデンサー２０の静電容量値の合計が充電用コンデンサー６の静電容量値の１／１０以下の値にされていることが望ましい。
また、キセノンランプ２１は閃光発生時、光、熱を発生する以外に、振動で音を発する。このため硬質のプリント基板に直接、キセノンランプ２１の陽電極、陰電極を半田付けで固定すると、そのプリント基板によって振動が妨げられてキセノンランプ２１の硝子管と電極部の間に応力が生ずる。この応力は、長期の使用でガス漏れの原因を生み、劣化へとつながる。しかし、上記の実施例ではプリント基板３３としてフレキシブルプリント基板を採用しているので、キセノンランプ２１が振動したときにはプリント基板３３側が動き、キセノンランプ２１自体の振動を妨げない事で、ガス漏れの原因を無くする効果がある。またフレキシブルプリント基板を採用したことにより、プリント基板３３の厚み分の小型化が出来る。
【００３０】
【符号の説明】
【００３１】１                    電源部
２                    閃光発生部
３                    閃光発生部
４                    スイッチング電源
５                    入力コネクター
６                    充電用コンデンサー
７                    充電用抵抗
８                    充電用抵抗
９                    出力コネクター
１０                  出力コネクター
１１                  電源入力コネクター
１２                  放電用コンデンサー
１３                  トリガーコンデンサー充電抵抗
１４                  トリガーコンデンサー
１５                  キセノンランプ
１６                  ＩＧＢＴ（トリガー駆動半導体）
１７                  トリガートランス
１８                  信号入力コネクター
１９                  電源入力コネクター
２０                  放電用コンデンサー
２１                  キセノンランプ
２１ａ                陽電極
２１ｂ                陰電極
２１ｃ                ゲート電極
２１ｃ＿１            開口パイプ状部
２１ｃ＿２            接続部
２２                  トリガーコンデンサー充電抵抗
２３                  サイリスタ（トリガー駆動半導体）
２４                  抵抗
２５                  トリガーコンデンサー
２６                  トリガートランス
２７                  信号入力コネクター
２８                  遊技制御回路
２９                  直流電源
３０                  入力信号
３１                  ドライバー
３２                  ドライバー
３３                  プリント基板（フレキシブルプリント基板）
３３ａ                切り欠き部
３３ｂ                突出部
３３ｃ                部品配置禁止領域
３４                  収容ケース
３５                  接続線
３６                  止めネジ
【図１】
2012217819.tif 000003
【図２】
2012217819.tif 000004
【図３】
2012217819.tif 000005